(57)【要約】【課題】歌唱者毎のカラオケ歌唱の巧拙によらず、歌唱音声に対して良好な残響を与えることが可能なカラオケ装置を提供する。【解決手段】ガイドボーカル残響成分信号を生成する第１の生成手段、カラオケ演奏信号、ガイドボーカル残響成分信号、または歌唱音声信号が入力された場合に、各信号をミキシングして出力することが可能な信号処理手段、歌唱音声信号が入力された場合には、ガイドボーカル残響成分信号を出力するよう信号処理手段を制御し、歌唱音声信号が入力されなかった場合には、ガイドボーカル残響成分信号を出力しないよう信号処理手段を制御する信号制御部、を有するカラオケ装置。【選択図】図３
2020086315.tif 000002
【特許請求の範囲】
【請求項１】
カラオケ演奏手段から出力されたガイドボーカル信号に基づいてガイドボーカル残響成分信号を生成する第１の生成手段と、
前記カラオケ演奏手段から出力されたカラオケ演奏信号、生成された前記ガイドボーカル残響成分信号、または歌唱者の歌唱音声に基づく歌唱音声信号が入力された場合に、各信号をミキシングして出力することが可能な信号処理手段と、
前記歌唱音声信号が入力された場合には、前記ガイドボーカル残響成分信号を出力するよう前記信号処理手段を制御し、前記歌唱音声信号が入力されなかった場合には、前記ガイドボーカル残響成分信号を出力しないよう前記信号処理手段を制御する信号制御部と、
を有するカラオケ装置。
【請求項２】
前記歌唱音声信号に基づいて音声残響成分信号を生成する第２の生成手段と、
前記歌唱音声信号から抽出した音高と、前記歌唱音声を評価するためのリファレンスデータに含まれる音高との音高差が所定条件を満たすか否かを判定する判定部と、
を有し、
前記信号処理手段は、前記音声残響成分信号が入力された場合に当該信号をミキシングして出力することが可能であり、
前記信号制御部は、
前記歌唱音声信号が入力された場合であって、
前記音高差が前記所定条件を満たす場合には、前記ガイドボーカル残響成分信号を出力せず、且つ前記音声残響成分信号を出力するよう前記信号処理手段を制御し、
前記音高差が前記所定条件を満たさない場合には、前記音声残響成分信号を出力せず、且つ前記ガイドボーカル残響成分信号を出力するよう前記信号処理手段を制御する、
ことを特徴とする請求項１記載のカラオケ装置。
【請求項３】
前記歌唱者を識別するための歌唱者識別情報に基づいて、サーバ装置から当該歌唱者の声質を示す歌唱者フォルマント情報を取得する取得部と、
取得した前記歌唱者フォルマント情報に基づいて前記ガイドボーカル信号の周波数特性を補正する周波数特性補正手段と、
を有し、
前記第１の生成手段は、周波数特性を補正した前記ガイドボーカル信号に基づいて前記ガイドボーカル残響成分信号を生成することを特徴とする請求項１または２に記載のカラオケ装置。
【発明の詳細な説明】
【技術分野】
【０００１】
本発明はカラオケ装置に関する。
【背景技術】
【０００２】
カラオケ装置において、歌唱者の歌唱音声に種々のエフェクトを付与する技術が知られている。このようなエフェクトの中には、エコーやリバーブ等、歌唱音声に対して残響による効果を付与するものがある。残響により元の歌唱音声に響きを付与することができるため、楽曲に慣れていない歌唱者は、好んで残響を利用する傾向にある。
【０００３】
ここで、特許文献１には、エコー処理が施された第１の音声データ（プレイヤが発する声を検知して得られるデータ）と第２の音声データ（伴奏音のデータ）とを混合した音声データを出力する際に、第１の音声データの音高とガイド音の音高との差に基づいてエコーの強さを設定する技術が開示されている。
【先行技術文献】
【特許文献】
【０００４】
【特許文献１】特開２０１１−１７５１１６号公報
【発明の概要】
【発明が解決しようとする課題】
【０００５】
特許文献１の技術におけるエコー処理は、プレイヤが発する声を検知して得られる第１の音声データに対して行われる。よって、カラオケ歌唱が上手くないプレイヤの場合、プレイヤが実際に声を発した部分だけでなく、エコー処理された部分まで伴奏音とのずれが生じる結果、エコー処理を行わない場合と比べ、上手く聞こえない部分がより多くなる。
【０００６】
本発明の目的は、歌唱者毎のカラオケ歌唱の巧拙によらず、歌唱音声に対して良好な残響を与えることが可能なカラオケ装置を提供することにある。
【課題を解決するための手段】
【０００７】
上記目的を達成するための発明は、カラオケ演奏手段から出力されたガイドボーカル信号に基づいてガイドボーカル残響成分信号を生成する第１の生成手段と、前記カラオケ演奏手段から出力されたカラオケ演奏信号、生成された前記ガイドボーカル残響成分信号、または歌唱者の歌唱音声に基づく歌唱音声信号が入力された場合に、各信号をミキシングして出力することが可能な信号処理手段と、前記歌唱音声信号が入力された場合には、前記ガイドボーカル残響成分信号を出力するよう前記信号処理手段を制御し、前記歌唱音声信号が入力されなかった場合には、前記ガイドボーカル残響成分信号を出力しないよう前記信号処理手段を制御する信号制御部と、を有するカラオケ装置である。
本発明の他の特徴については、後述する明細書及び図面の記載により明らかにする。
【発明の効果】
【０００８】
本発明によれば、歌唱者毎のカラオケ歌唱の巧拙によらず、歌唱音声に対して良好な残響を与えることができる。
【図面の簡単な説明】
【０００９】
【図１】第１実施形態に係るカラオケ装置のハードウェア構成例を示す図である。
【図２】第１実施形態に係るカラオケ本体のソフトウェア構成例を示す図である。
【図３】第１実施形態に係るカラオケ装置の動作を示すフローチャートである。
【図４】第２実施形態に係るカラオケ装置のハードウェア構成例を示す図である。
【図５】第２実施形態に係るカラオケ本体のソフトウェア構成例を示す図である。
【図６】第２実施形態に係るカラオケ装置の動作を示すフローチャートである。
【図７】変形例に係るカラオケ本体のソフトウェア構成例を示す図である。
【図８】変形例に係るカラオケ本体のハードウェア構成例を示す図である。
【発明を実施するための形態】
【００１０】
＜第１実施形態＞
図１〜図３を参照して、第１実施形態に係るカラオケ装置１について説明する。
【００１１】
＝＝カラオケ装置＝＝
カラオケ装置１は、利用者が選曲した楽曲のカラオケ演奏及び利用者がカラオケ歌唱を行うための装置である。以下、カラオケ歌唱を行っている利用者を「歌唱者」という場合がある。図１に示すように、カラオケ装置１は、カラオケ本体１０、スピーカ２０、表示装置３０、マイク４０、及びリモコン装置５０を備える。
【００１２】
スピーカ２０はカラオケ本体１０からの放音信号に基づいてカラオケ演奏音や歌唱音声を放音するための構成である。表示装置３０は、カラオケ本体１０から出力される映像信号に基づいて所定の映像を表示するための構成である。マイク４０は、歌唱者がカラオケ歌唱を行った際に得られる歌唱音声をアナログの歌唱音声信号に変換してカラオケ本体１０に入力するための構成である。
【００１３】
（カラオケ本体のハードウェア）
図１に示すように、カラオケ本体１０は、制御部１１、通信部１２、記憶部１３、音響処理部１４、表示処理部１５、及び操作部１６を備える。各構成はインターフェース（図示なし）を介してバスＢに接続されている。
【００１４】
カラオケ本体１０は、選曲された楽曲のカラオケ演奏制御、歌詞や背景映像等の表示制御、マイク４０を通じて入力された音声の処理といった、カラオケ歌唱に関する各種の制御を行う。
【００１５】
制御部１１は、ＣＰＵ１１ａおよびメモリ１１ｂを備える。ＣＰＵ１１ａは、メモリ１１ｂに記憶された動作プログラムを実行することにより各種の制御機能を実現する。メモリ１１ｂは、ＣＰＵ１１ａに実行されるプログラムを記憶したり、プログラムの実行時に各種情報を一時的に記憶したりする記憶装置である。
【００１６】
通信部１２は、ルーター（図示なし）を介してカラオケ本体１０を通信回線に接続するためのインターフェースを提供する。
【００１７】
記憶部１３は、各種のデータを記憶する大容量の記憶装置であり、たとえばハードディスクドライブなどである。記憶部１３は、カラオケ装置１によりカラオケ演奏を行うための複数の楽曲データ等を記憶する。
【００１８】
楽曲データは、カラオケ演奏を行うためのデータである。楽曲データは、個々の楽曲を特定するための識別情報（楽曲ＩＤ）が付与されている。楽曲データは、伴奏データ、リファレンスデータ、ガイドボーカルデータを含む。伴奏データは、楽曲のカラオケ演奏を行うためのＭＩＤＩ形式のデータ（カラオケ演奏音の元となるデータ）である。リファレンスデータは、歌唱音声を評価するためのデータである。リファレンスデータは、歌唱者によるカラオケ歌唱を採点する際の基準として用いられる。ガイドボーカルデータは、カラオケ歌唱時にガイドボーカル機能を利用する際に用いる歌唱データである。ガイドボーカル機能は、予め登録されたガイドボーカル（プロの歌手等による歌唱）を楽曲演奏と併せて再生するものである。歌唱者は、ガイドボーカルをお手本とすることにより、あまり知らない楽曲であっても気軽にカラオケ歌唱できる。
【００１９】
楽曲データは、歌詞データ、映像データ、属性情報等を含んでいてもよい。歌詞データは、カラオケ演奏に合わせて表示装置３０等に表示させる歌詞（歌詞テロップ）を示すデータである。映像データは、カラオケ演奏に合わせて表示装置３０等に表示させる背景映像を示すデータである。属性情報は、曲名、歌手名、作詞・作曲者名、及びジャンル等の楽曲に関する情報である。
【００２０】
音響処理部１４は、制御部１１の制御に基づき、楽曲に対するカラオケ演奏の制御およびマイク４０を通じて入力された歌唱音声の処理を行う。音響処理部１４は、音源１４ａ、第１のエフェクタ１４ｂ、ミキサ１４ｃ、及びアンプ１４ｄを含む。
【００２１】
音源１４ａは、ＭＩＤＩ形式のデータに基づいてカラオケ演奏のための信号（カラオケ演奏信号）を生成する。また、音源１４ａは、ガイドボーカルデータに基づいて、ガイドボーカルを放音するための信号（ガイドボーカル信号）を生成する。音源１４ａは、生成したカラオケ演奏信号をミキサ１４ｃに出力する。一方、音源１４ａは、生成したガイドボーカル信号を第１のエフェクタ１４ｂに出力する。音源１４ａは「カラオケ演奏手段」の一例である。
【００２２】
第１のエフェクタ１４ｂは、音源１４ａから出力されたガイドボーカル信号に基づいて、ガイドボーカル残響成分信号を生成する。
【００２３】
残響は、たとえばエコーやリバーブである。残響成分信号は、歌唱者の歌唱音声信号に残響を付与するための信号である。本実施形態において、残響成分信号は、ガイドボーカル信号に基づいて生成される。ガイドボーカル信号に基づくガイドボーカル残響成分信号の生成は、公知の手法を用いることができる。たとえばエコーは、歌唱音声の波形を所定の時間ずらした音声である。よって、第１のエフェクタ１４ｂは、ガイドボーカルデータの波形を所定時間ずらすことでガイドボーカル残響成分信号を生成する。第１のエフェクタ１４ｂは、生成したガイドボーカル残響成分信号をミキサ１４ｃに出力する。第１のエフェクタ１４ｂは「第１の生成手段」の一例である。
【００２４】
ミキサ１４ｃは、入力される信号をミキシングする。本実施形態において、ミキサ１４ｃは、カラオケ演奏信号、ガイドボーカル残響成分信号、または歌唱者の歌唱音声に基づく歌唱音声信号が入力された場合に、各信号をミキシングしてアンプ１４ｄに出力する。歌唱音声信号は、マイク４０から入力される。ミキサ１４ｃは「信号処理手段」の一例である。
【００２５】
アンプ１４ｄは、ミキサ１４ｃから出力された信号を増幅してスピーカ２０から放音させる。
【００２６】
表示処理部１５は、制御部１１の制御に基づき、表示装置３０における各種表示に関する処理を行う。たとえば、表示処理部１５は、ある楽曲のカラオケ演奏時における背景映像に歌詞や各種アイコンが重ねられた映像を表示装置３０に表示する処理を行う。
【００２７】
操作部１６は、パネルスイッチおよびリモコン受信回路などからなり、カラオケ装置１のパネルスイッチあるいはリモコン装置５０の操作に応じて選曲信号、演奏中止信号などの操作信号を制御部１１に対して出力する。制御部１１は、操作部１６からの操作信号を検出し、対応する処理を実行する。
【００２８】
リモコン装置５０は、カラオケ本体１０に対する各種操作をおこなうための装置である。歌唱者はリモコン装置５０を用いて歌唱を希望する楽曲の選曲（予約）等を行うことができる。
【００２９】
（カラオケ本体のソフトウェア）
図２はカラオケ本体１０のソフトウェア構成例を示す図である。カラオケ本体１０は、信号制御部１００を備える。信号制御部１００は、ＣＰＵ１１ａがメモリ１１ｂに記憶されるプログラムを実行することにより実現される。
【００３０】
［信号制御部］
信号制御部１００は信号処理手段を制御する。具体的に、信号制御部１００は、歌唱音声信号が入力された場合には、ガイドボーカル残響成分信号を出力するよう信号処理手段を制御し、歌唱音声信号が入力されなかった場合には、ガイドボーカル残響成分信号を出力しないよう信号処理手段を制御する。
【００３１】
たとえば、歌唱者Ｕがリモコン装置５０を介して楽曲Ｘの選曲を行ったとする。この場合、音響処理部１４は、楽曲Ｘのカラオケ演奏を行う。歌唱者Ｕは、マイク４０を利用し、カラオケ演奏に合わせてカラオケ歌唱を行う。
【００３２】
ここで、歌唱者Ｕがカラオケ歌唱を行った場合、ミキサ１４ｃ（信号処理手段）には、マイク４０を通じて歌唱音声信号が入力される。一方、たとえば、歌唱者Ｕがカラオケ歌唱を上手く行うことができずに詰まってしまった場合、ミキサ１４ｃには、歌唱音声信号が入力されない。信号制御部１００は、このような歌唱音声信号の入力の有無を検出する。
【００３３】
歌唱音声信号の入力を検出した場合、信号制御部１００は、ガイドボーカル残響成分信号を出力するようミキサ１４ｃを制御する。ミキサ１４ｃは、楽曲Ｘのカラオケ演奏信号、歌唱者Ｕの歌唱音声信号と併せて、ガイドボーカル残響成分信号をミキシングし、アンプ１４ｄに出力する。この場合、スピーカ２０からは、カラオケ演奏音、及び残響の効果が付与された歌唱音声が放音される。
【００３４】
一方、歌唱音声信号の入力を検出できなかった場合、信号制御部１００は、ガイドボーカル残響成分信号を出力しないようミキサ１４ｃを制御する。ミキサ１４ｃは、楽曲Ｘのカラオケ演奏信号のみをアンプ１４ｄに出力する。この場合、スピーカ２０からは、カラオケ演奏音のみが放音される。
【００３５】
＝＝カラオケ装置の動作について＝＝
次に、図３を参照して本実施形態におけるカラオケ装置１の動作の具体例について述べる。図３は、カラオケ装置１の動作例を示すフローチャートである。この例では歌唱者Ｕが楽曲Ｘを選曲したとする。
【００３６】
音源１４ａは、記憶部１３から楽曲Ｘの伴奏データを読み出し、カラオケ演奏信号を生成する（カラオケ演奏信号の生成。ステップ１０）。音源１４ａは、生成したカラオケ演奏信号をミキサ１４ｃに出力する。ミキサ１４ｃは、カラオケ演奏信号をミキシングし、アンプ１４ｄに出力する。アンプ１４ｄは、ミキサ１４ｃから出力された信号を増幅してスピーカ２０から放音させる。歌唱者Ｕは、カラオケ演奏に合わせてカラオケ歌唱を行う。
【００３７】
また、音源１４ａは、記憶部１３から楽曲Ｘのガイドボーカルデータを読み出し、ガイドボーカル信号を生成する（ガイドボーカル信号の生成。ステップ１１）。音源１４ａは、生成したガイドボーカル信号を第１のエフェクタ１４ｂに出力する。
【００３８】
第１のエフェクタ１４ｂは、音源１４ａから出力されたガイドボーカル信号に基づいて、ガイドボーカル残響成分信号を生成する（ガイドボーカル残響成分信号の生成。ステップ１２）。第１のエフェクタ１４ｂは、生成したガイドボーカル残響成分信号をミキサ１４ｃに出力する。
【００３９】
ここで、信号制御部１００は、歌唱音声信号の入力の有無を検出する。歌唱音声信号が入力された場合（ステップ１３でＹの場合）、信号制御部１００は、ステップ１２で生成されたガイドボーカル残響成分信号を出力するようミキサ１４ｃを制御する。ミキサ１４ｃは、楽曲Ｘのカラオケ演奏信号、歌唱者Ｕの歌唱音声信号と併せて、ガイドボーカル残響成分信号を所定のレベルバランスでミキシングし、アンプ１４ｄに出力する（カラオケ演奏信号、歌唱音声信号、及びガイドボーカル残響成分信号の出力。ステップ１４）。なお、所定のレベルバランスは、たとえばカラオケ装置１のパネルスイッチに設けられている「ミュージック音量」、「エコーレベル」、「マイク音量」に対応する操作子の設定値に基づいて決定される。
【００４０】
一方、歌唱音声信号が入力されなかった場合（ステップ１３でＮの場合）、信号制御部１００は、ガイドボーカル残響成分信号を出力しないようミキサ１４ｃを制御する。ミキサ１４ｃは、楽曲Ｘのカラオケ演奏信号のみをアンプ１４ｄに出力する（カラオケ演奏信号の出力。ステップ１５）。
【００４１】
カラオケ装置１は、楽曲Ｘのカラオケ演奏が終了するまで（ステップ１６でＹの場合）、ステップ１０〜ステップ１５の処理を繰り返し行う（なお、ステップ１４またはステップ１５の処理はいずれか一方のみ行われる）。
【００４２】
以上の通り、本実施形態に係るカラオケ装置１は、音源１４ａから出力されたガイドボーカル信号に基づいてガイドボーカル残響成分信号を生成する第１のエフェクタ１４ｂと、音源１４ａから出力されたカラオケ演奏信号、生成されたガイドボーカル残響成分信号、または歌唱者の歌唱音声に基づく歌唱音声信号が入力された場合に、各信号をミキシングして出力することが可能なミキサ１４ｃと、歌唱音声信号が入力された場合には、ガイドボーカル残響成分信号を出力するようミキサ１４ｃを制御し、歌唱音声信号が入力されなかった場合には、ガイドボーカル残響成分信号を出力しないようミキサ１４ｃを制御する信号制御部１００と、を有する。
【００４３】
このようなカラオケ装置１によれば、カラオケ歌唱に伴う歌唱音声に対し、ガイドボーカルデータに基づく一定の残響を付与することができる。また、ガイドボーカルデータは、プロの歌手等による歌唱に基づく歌唱データである。従って、ガイドボーカルデータに基づく残響は、カラオケ演奏に合った音声として放音される。すなわち、本実施形態に係るカラオケ装置１によれば、歌唱者毎のカラオケ歌唱の巧拙によらず、歌唱音声に対して良好な残響を与えることができる。更に、本実施形態に係るカラオケ装置１は、歌唱音声信号が入力されなかった場合には、ガイドボーカル残響成分信号が出力されない。従って、カラオケ歌唱を行っていないにも関わらず、残響のみが放音されるといった、不自然な状況を回避することができる。
【００４４】
＜第２実施形態＞
次に、図４〜図６を参照して、第２実施形態に係るカラオケ装置１について説明する。本実施形態では、歌唱音声に対し、ガイドボーカル信号に基づく残響または歌唱者の歌唱音声信号に基づく残響のいずれかを付与することが可能なカラオケ装置１について説明する。第１実施形態と同様の構成については詳細な説明を省略する。
【００４５】
＝＝カラオケ装置＝＝
（カラオケ本体のハードウェア）
図４に示すように、本実施形態に係る音響処理部１４は、音源１４ａ、第１のエフェクタ１４ｂ、ミキサ１４ｃ、アンプ１４ｄ、及び第２のエフェクタ１４ｅを含む。
【００４６】
第２のエフェクタ１４ｅは、歌唱音声信号に基づいて、音声残響成分信号を生成する。歌唱音声信号は、マイク４０から入力される。
【００４７】
歌唱音声信号に基づく音声残響成分信号の生成は、公知の手法を用いることができる。たとえばエコーは、歌唱音声の波形を所定の時間ずらした音声である。よって、第２のエフェクタ１４ｂは、歌唱音声信号の波形を所定時間ずらすことで音声残響成分信号を生成する。第２のエフェクタ１４ｅは、生成した音声残響成分信号をミキサ１４ｃに出力する。第２のエフェクタ１４ｅは「第２の生成手段」の一例である。
【００４８】
本実施形態において、ミキサ１４ｃは、カラオケ演奏信号、ガイドボーカル残響成分信号、歌唱者の歌唱音声に基づく歌唱音声信号、または音声残響成分信号が入力された場合に、各信号をミキシングしてアンプ１４ｄに出力する。
【００４９】
（カラオケ本体のソフトウェア）
図５はカラオケ本体１０のソフトウェア構成例を示す図である。カラオケ本体１０は、信号制御部１００及び判定部２００を備える。信号制御部１００及び判定部２００は、ＣＰＵ１１ａがメモリ１１ｂに記憶されるプログラムを実行することにより実現される。
【００５０】
［判定部］
判定部２００は、歌唱音声信号から抽出した音高と、歌唱音声を評価するためのリファレンスデータに含まれる音高との音高差が所定条件を満たすか否かを判定する。歌唱音声信号から音高を抽出する方法は、公知の手法を用いることができる。
【００５１】
たとえば、歌唱者Ｕが楽曲Ｘのカラオケ歌唱を行った場合、判定部２００は、記憶部１３から楽曲Ｘのリファレンスデータを読み出す。また、判定部２００は、カラオケ歌唱に伴う歌唱音声信号から音高を抽出する。判定部２００は、リファレンスデータに含まれる音高と、抽出した音高とを比較し、所定条件を満たすかどうかを判定する。所定条件は、残響成分信号として、音声残響成分信号とガイドボーカル残響成分信号のいずれを利用するかを判断するための条件である。所定条件は、たとえば２０ｃｅｎｔ未満のようなｃｅｎｔ値で示すことができる。判定部２００は、判定結果を信号制御部１００に出力する。
【００５２】
［信号制御部］
本実施形態に係る信号制御部１００は、歌唱音声信号が入力された場合であって、音高差が所定条件を満たす場合には、ガイドボーカル残響成分信号を出力せず、且つ音声残響成分信号を出力するよう信号処理手段を制御する。一方、本実施形態に係る信号制御部１００は、歌唱音声信号が入力された場合であって、音高差が所定条件を満たさない場合には、音声残響成分信号を出力せず、且つガイドボーカル残響成分信号を出力するよう信号処理手段を制御する。
【００５３】
たとえば、歌唱者Ｕが楽曲Ｘのカラオケ歌唱を行った場合、ミキサ１４ｃ（信号処理手段）には、マイク４０を通じて歌唱音声信号が入力される。信号制御部１００は、歌唱音声信号の入力を検出する。
【００５４】
歌唱音声信号の入力を検出した場合、信号制御部１００は、判定部２００から出力された判定結果を参照する。
【００５５】
ここで、音高差が所定条件を満たす場合、歌唱音声信号に含まれる音高がリファレンスデータの音高に近似していることを示す。すなわち、この場合、歌唱者のカラオケ歌唱が上手く行われている。このような場合、信号制御部１００は、ガイドボーカル残響成分信号を出力せず、且つ音声残響成分信号を出力するようミキサ１４ｃを制御する。ミキサ１４ｃは、楽曲Ｘのカラオケ演奏信号、歌唱者Ｕの歌唱音声信号と併せて、音声残響成分信号をミキシングし、アンプ１４ｄに出力する。この場合、スピーカ２０からは、カラオケ演奏音、及び歌唱者のカラオケ歌唱に基づく残響の効果が付与された歌唱音声が放音される。
【００５６】
一方、音高差が所定条件を満たさない場合、歌唱音声信号に含まれる音高がリファレンスデータの音高と大きく異なっていることを示す。すなわち、この場合、歌唱者のカラオケ歌唱が上手く行われていない。このような場合、信号制御部１００は、音声残響成分信号を出力せず、且つガイドボーカル残響成分信号を出力するようミキサ１４ｃを制御する。ミキサ１４ｃは、楽曲Ｘのカラオケ演奏信号、歌唱者Ｕの歌唱音声信号と併せて、ガイドボーカル残響成分信号をミキシングし、アンプ１４ｄに出力する。この場合、スピーカ２０からは、カラオケ演奏音、及びガイドボーカルに基づく残響の効果が付与された歌唱音声が放音される。
【００５７】
＝＝カラオケ装置の動作について＝＝
次に、図６を参照して本実施形態におけるカラオケ装置１の動作の具体例について述べる。図６は、カラオケ装置１の動作例を示すフローチャートである。この例では歌唱者Ｕが楽曲Ｘを選曲したとする。
【００５８】
音源１４ａは、記憶部１３から楽曲Ｘの伴奏データを読み出し、カラオケ演奏信号を生成する（カラオケ演奏信号の生成。ステップ２０）。音源１４ａは、生成したカラオケ演奏信号をミキサ１４ｃに出力する。ミキサ１４ｃは、カラオケ演奏信号をミキシングし、アンプ１４ｄに出力する。アンプ１４ｄは、ミキサ１４ｃから出力された信号を増幅してスピーカ２０から放音させる。歌唱者Ｕは、カラオケ演奏に合わせてカラオケ歌唱を行う。
【００５９】
また、音源１４ａは、記憶部１３から楽曲Ｘのガイドボーカルデータを読み出し、ガイドボーカル信号を生成する（ガイドボーカル信号の生成。ステップ２１）。音源１４ａは、生成したガイドボーカル信号を第１のエフェクタ１４ｂに出力する。
【００６０】
第１のエフェクタ１４ｂは、音源１４ａから出力されたガイドボーカル信号に基づいて、ガイドボーカル残響成分信号を生成する（ガイドボーカル残響成分信号の生成。ステップ２２）。第１のエフェクタ１４ｂは、生成したガイドボーカル残響成分信号をミキサ１４ｃに出力する。
【００６１】
一方、第２のエフェクタ１４ｅは、歌唱者Ｕのカラオケ歌唱に伴って入力される歌唱音声信号に基づいて、音声残響成分信号を生成する（音声残響成分信号の生成。ステップ２３）。第２のエフェクタ１４ｅは、生成した音声残響成分信号をミキサ１４ｃに出力する。なお、ステップ２２とステップ２３の処理は、カラオケ歌唱に伴って並行して行われる。
【００６２】
判定部２００は、歌唱音声信号から抽出した音高と、歌唱音声を評価するためのリファレンスデータに含まれる音高との音高差が所定条件を満たすか否かを判定する（歌唱音声信号に含まれる音高とリファレンスデータの音高との音高差を判定。ステップ２４）。
【００６３】
音高差が所定条件を満たす場合（ステップ２５でＹの場合）、信号制御部１００は、ステップ２２で生成したガイドボーカル残響成分信号を出力せず、且つステップ２３で生成した音声残響成分信号を出力するようミキサ１４ｃを制御する。ミキサ１４ｃは、楽曲Ｘのカラオケ演奏信号、歌唱者Ｕの歌唱音声信号と併せて、音声残響成分信号を所定のレベルバランスでミキシングし、アンプ１４ｄに出力する（カラオケ演奏信号、歌唱音声信号、及び音声残響成分信号の出力。ステップ２６）。
【００６４】
一方、音高差が所定条件を満たさない場合（ステップ２５でＮの場合）、信号制御部１００は、ステップ２３で生成した音声残響成分信号を出力せず、且つステップ２２で生成したガイドボーカル残響成分信号を出力するようミキサ１４ｃを制御する。ミキサ１４ｃは、楽曲Ｘのカラオケ演奏信号、歌唱者Ｕの歌唱音声信号と併せて、ガイドボーカル残響成分信号を所定のレベルバランスでミキシングし、アンプ１４ｄに出力する（カラオケ演奏信号、歌唱音声信号、及びガイドボーカル残響成分信号の出力。ステップ２７）。
【００６５】
カラオケ装置１は、楽曲Ｘのカラオケ演奏が終了するまで（ステップ２８でＹの場合）、ステップ２０〜ステップ２７の処理を繰り返し行う（なお、ステップ２６またはステップ２７の処理はいずれか一方のみ行われる）。
【００６６】
以上の通り、本実施形態に係るカラオケ装置１は、歌唱音声信号に基づいて音声残響成分信号を生成する第２のエフェクタ１４ｅと、歌唱音声信号から抽出した音高と、歌唱音声を評価するためのリファレンスデータに含まれる音高との音高差が所定条件を満たすか否かを判定する判定部２００と、を有し、ミキサ１４ｃは、音声残響成分信号が入力された場合に当該信号をミキシングして出力することが可能であり、信号制御部１００は、歌唱音声信号が入力された場合であって、音高差が所定条件を満たす場合には、ガイドボーカル残響成分信号を出力せず、且つ音声残響成分信号を出力するようミキサ１４ｃを制御し、音高差が所定条件を満たさない場合には、音声残響成分信号を出力せず、且つガイドボーカル残響成分信号を出力するようミキサ１４ｃを制御する。
【００６７】
このようなカラオケ装置１によれば、歌唱音声信号に含まれる音高とリファレンスデータの音高との音高差が所定条件を満たす場合には、カラオケ歌唱に対し、歌唱音声信号に基づく残響を付与することができる。歌唱音声信号に基づく残響は、歌唱者の音声に近似している。従って、カラオケ歌唱を聴く聴衆は、より自然な残響を聴くことができる。
【００６８】
なお、本実施形態では、音高差を求める際に、リファレンスデータの音高を利用する例について述べた。一方、判定部２００は、ガイドボーカルデータから抽出した音高と、歌唱音声信号から抽出した音高との音高差を求め、当該音高差が所定条件を満たすか否かを判定することでもよい。
【００６９】
＜変形例＞
上記実施形態では、ガイドボーカル残響成分信号を生成する際、ガイドボーカルデータをそのまま利用している。一方、ガイドボーカルデータはプロの歌手等の歌唱に基づく歌唱データであるため、カラオケ歌唱が上手くない歌唱者の歌唱音声にガイドボーカル残響成分信号による残響を付与すると、残響を聴いた聴衆が違和感を覚えることもありうる。そこで、本変形例では、ガイドボーカル信号を歌唱者の声質に応じて補正する例について述べる。
【００７０】
図７はカラオケ本体１０のソフトウェア構成例を示す図である。カラオケ本体１０は、信号制御部１００及び取得部３００を備える。信号制御部１００及び取得部３００は、ＣＰＵ１１ａがメモリ１１ｂに記憶されるプログラムを実行することにより実現される。
【００７１】
［取得部］
取得部３００は、歌唱者を識別するための歌唱者識別情報に基づいて、サーバ装置から当該歌唱者の声質を示す歌唱者フォルマント情報を取得する。
【００７２】
本変形例において、カラオケ装置１は、サーバ装置（図示なし）と通信可能に接続されている。サーバ装置には、歌唱者を識別するための歌唱者識別情報（歌唱者ＩＤ）毎に、歌唱者フォルマント情報が予め記憶されている。歌唱者フォルマント情報は、歌唱者の声質を示す情報であり、周波数の情報として表すことができる。歌唱者フォルマント情報は、歌唱者の歌唱音声信号から公知の技術（たとえば特開２００８−００３４８３号公報参照）を利用して抽出し、抽出したデータを処理することにより、一般的なデジタル・イコライザに付与するパラメータとすることができる。
【００７３】
たとえば、歌唱者Ｕがカラオケ装置１を利用する際に、リモコン装置５０を介して自己の歌唱者ＩＤを入力したとする。取得部３００は、入力された歌唱者ＩＤをサーバ装置に送信する。サーバ装置は、受信した歌唱者ＩＤに対応する歌唱者Ｕの歌唱者フォルマント情報を読み出し、カラオケ装置１に送信する。取得部３００は、サーバ装置から送信された歌唱者Ｕの歌唱者フォルマント情報を取得する。取得部３００は、取得した歌唱者フォルマント情報をイコライザ１４ｆ（後述）に出力する。
【００７４】
ここで、図８に示すように、本実施形態に係る音響処理部１４は、音源１４ａ、第１のエフェクタ１４ｂ、ミキサ１４ｃ、アンプ１４ｄ、及びイコライザ１４ｆを含む。
【００７５】
［イコライザ］
イコライザ１４ｆは、取得した歌唱者フォルマント情報に基づいてガイドボーカル信号の周波数特性を補正する。イコライザ１４ｆは「周波数特性補正手段」の一例である。
【００７６】
イコライザ１４ｆは、音源１４ａからガイドボーカル信号が入力された場合、当該ガイドボーカル信号を、取得部３００から出力された歌唱者フォルマント情報に基づいて補正することで、ガイドボーカル信号の周波数特性を歌唱者の歌唱音声信号の周波数特性に近づけることができる。
【００７７】
イコライザ１４ｆは、周波数特性を補正したガイドボーカル信号を第１のエフェクタ１４ｂに出力する。第１のエフェクタ１４ｂは、周波数特性を補正したガイドボーカル信号に基づいてガイドボーカル残響成分信号を生成する。
【００７８】
以上の通り、本変形例に係るカラオケ装置１は、歌唱者を識別するための歌唱者識別情報に基づいて、サーバ装置から当該歌唱者の声質を示す歌唱者フォルマント情報を取得する取得部３００と、取得した歌唱者フォルマント情報に基づいてガイドボーカル信号の周波数特性を補正するイコライザ１４ｆと、を有する。また、第１のエフェクタ１４ｂは、周波数特性を補正したガイドボーカル信号に基づいてガイドボーカル残響成分信号を生成する。
【００７９】
このようなカラオケ装置１によれば、ガイドボーカル信号を利用して歌唱音声に対して残響を付与する場合に、歌唱者の音声に近似した残響を付与することができる。なお、上記変形例は第１実施形態の構成を元に説明をしたが、上記変形例は第２実施形態の構成に対しても適用可能である。すなわち、判定部２００及び第２のエフェクタ１４ｅがある構成に対しても、取得部３００及びイコライザ１４ｆの構成を設けることにより、変形例と同様の作用効果を得ることができる。
【００８０】
＜その他＞
上記実施形態は、例として提示したものであり、発明の範囲を限定するものではない。上記の構成は、適宜組み合わせて実施することが可能であり、発明の要旨を逸脱しない範囲で、種々の省略、置き換え、変更を行うことができる。上記実施形態やその変形は、発明の範囲や要旨に含まれると同様に、特許請求の範囲に記載された発明とその均等の範囲に含まれる。
【符号の説明】
【００８１】
１  カラオケ装置
１４ａ  音源（カラオケ演奏手段）
１４ｂ  第１のエフェクタ（第１の生成手段）
１４ｃ  ミキサ（信号処理手段）
１４ｄ  アンプ
１４ｅ  第２のエフェクタ（第２の生成手段）
１４ｆ  イコライザ（周波数特性補正手段）
１００  信号制御部
２００  判定部
３００  取得部
【図１】
2020086315.tif 000003
【図２】
2020086315.tif 000004
【図３】
2020086315.tif 000005
【図４】
2020086315.tif 000006
【図５】
2020086315.tif 000007
【図６】
2020086315.tif 000008
【図７】
2020086315.tif 000009
【図８】
2020086315.tif 000010